(57)【要約】【課題】キャップ本体が飲用の妨げとならない安定した姿勢で保持され且つボトルに安定した状態で付随されるように構成されたボトル保持機能付キャップを提供する。【解決手段】キャップ本体１０に対し開栓時にタンパーエビデントバンド２０と係合するフック１１を持たせ、キャップ本体１０とタンパーエビデントバンド２０とをバンド４０を介して連結し、バンド４０のキャップ本体１０との連結部と、同タンパーエビデントバンド２０との連結部とをキャップ本体１０の周方向に沿って離隔させて配設する。また、バンド４０,４０を、フック１１を挟みながら開栓方向とは逆向きに上方に延びて配設する。更に、バンド４０の中間近傍は薄肉とする。【選択図】図１
2008056246.tif 000002
【特許請求の範囲】
【請求項１】
ボトル口部とネジ係合するキャップ本体と、破断可能な弱化部を介して該キャップ本体に連結されたタンパーエビデントバンドとを具備したボトル保持機能付キャップであって、前記キャップ本体は開栓時に前記タンパーエビデントバンドと係合する係合手段を有し、且つ前記キャップ本体と前記タンパーエビデントバンドとは可変形連結片によって連結され、且つ該可変形連結片の前記キャップ本体との連結部と同前記タンパーエビデントバンドとの連結部とは該キャップの周方向に沿って離隔した位置にあることを特徴とするボトル保持機能付キャップ。
【請求項２】
前記可変形連結片は、前記キャップ本体の周方向に沿って前記タンパーエビデントバンドの上端から閉栓方向かつ上方に延び該キャップ本体の下端で連結され、且つ前記係合手段を挟んで少なくとも２個配設され、並びに前記キャップ本体は、前記ボトル口部の全開時に前記係合手段と共に前記可変形連結片により前記タンパーエビデントバンドに保持されるように構成されている請求項１に記載のボトル保持機能付キャップ。
【請求項３】
前記可変形連結片は、中間近傍において薄肉部を有している請求項１又は２に記載のボトル保持機能付キャップ。
【請求項４】
前記キャップ本体は、前記タンパーエビデントバンドの縁部に係合する凹部を備えたフックを有し、該タンパーエビデントバンド縁部と該フックの凹部が係合することによりボトルの開口部から離隔して保持されるように構成されている請求項１から３の何れかに記載のボトル保持機能付キャップ。
【発明の詳細な説明】
【技術分野】
【０００１】
本発明は、ボトル保持機能付キャップ、特にキャップ本体が飲用の妨げとならない安定した姿勢で保持され且つボトルに安定した状態で付随されるように構成されたボトル保持機能付キャップに関する。
【背景技術】
【０００２】
従来、ボトルの開口部を封止しているキャップ本体を開封したのち、キャップ本体がボトルから離脱して紛失することがないように、キャップ本体と封緘リングを連結帯で連結した封緘リング付キャップが知られている（例えば、特許文献１を参照。）。この封緘リング付キャップは、キャップの下部に切欠き部から２つの破断部（スコアライン）が周方向に沿って平行に設けられ、且つ上のスコアラインは切欠き部から離隔した地点から発し周方向に沿って最後は切欠き部に到り、一方下のスコアラインは切欠き部から発し周方向に沿って最後は切欠き部から離隔した地点に到るように構成されている。これにより、開栓と共に、スコアラインが破断してキャップ本体と封緘リングは細長の連結帯によって連結され、封緘リングはボトルのネックリング部に係止しているため、キャップ本体は開栓後もボトルから離脱しないようになる。
【０００３】
【特許文献１】特開２００４−３０７００６号公報
【発明の開示】
【発明が解決しようとする課題】
【０００４】
上記従来の封緘リング付キャップでは、キャップ本体は連結帯によって拘束され支持されることになる。
しかしながら、連結帯は上下２つのスコアラインにより連結されているため、両方のスコアライン（や橋絡部）を完全に破断する必要があるが、この両方のスコアライン等を確実に破断することは困難である。また、スコアライン等を破断でき、ストラップを形成したとしても、キャップに口を付けて内容物を飲む時に、キャップ本体やストラップが飲用の妨げとなる。
そこで、本発明は、かかる従来技術の問題点に鑑みなされたものであって、キャップ本体が飲用の妨げとならない安定した姿勢で保持され且つボトルに安定した状態で付随されるように構成されたボトル保持機能付キャップを提供することである。
【課題を解決するための手段】
【０００５】
前記目的を達成するために請求項１に記載のボトル保持機能付キャップでは、ボトル口部とネジ係合するキャップ本体と、破断可能な弱化部を介して該キャップ本体に連結されたタンパーエビデントバンドとを具備したボトル保持機能付キャップであって、前記キャップ本体は開栓時に前記タンパーエビデントバンドと係合する係合手段を有し、且つ前記キャップ本体と前記タンパーエビデントバンドとは可変形連結片によって連結され、且つ該可変形連結片の前記キャップ本体との連結部と同前記タンパーエビデントバンドとの連結部とは該キャップの周方向に沿って離隔した位置にあることを特徴とする。
上記ボトル保持機能付キャップでは、キャップ本体とタンパーエビデントバンドが可変形連結片によって連結され、なお且つ可変形連結片のキャップ本体との連結部と同タンパーエビデントバンドとの連結部がキャップ本体の周方向に沿って離隔した位置にあるため、キャップ本体がボトル口部から開栓される際に、キャップ本体はタンパーエビデントバンドに連結した状態で、キャップ本体が自由に移動することが出来る行程を好適に確保することが可能となり、その結果、キャップ本体が可変形連結片を介して折り返されるとキャップ本体は係合手段によってタンパーエビデントバンドに係合するようになる。これにより、キャップ本体が飲用の妨げとならない安定した姿勢で保持され且つボトルに安定した状態で付随されることになる。
【０００６】
請求項２に記載のボトル保持機能付キャップでは、前記可変形連結片は、前記キャップ本体の周方向に沿って前記タンパーエビデントバンドの上端から閉栓方向かつ上方に延び該キャップ本体の下端で連結され、且つ前記係合手段を挟んで少なくとも２個配設され、並びに前記キャップ本体は、前記ボトル口部の全開時に前記係合手段と共に前記可変形連結片により前記タンパーエビデントバンドに保持されるように構成されていることとした。
上記ボトル保持機能付キャップでは、上記構成とすることにより、キャップ本体のボトル口部に対するネジ係合が緩むと共に可変形連結片が立ち上がり始め、キャップ本体がボトルの開口部から外れ易くなる。また、少なくとも２個の可変形連結片が係合手段を挟んで配設されていることにより、キャップ本体が可変形連結片を介して安定して折り返されて係合手段がタンパーエビデントバンドに好適に係合するようになる。
【０００７】
請求項３に記載のボトル保持機能付キャップでは、前記可変形連結片は、中間近傍において薄肉部を有していることとした。
上記ボトル保持機能付キャップでは、上記構成とすることにより、キャップ本体がその薄肉部を中心にしてボトルの開口部の外側に倒れ易くなる。その結果、キャップ本体とタンパーエビデントバンドが係合し易くなる。
【０００８】
請求項４に記載のボトル保持機能付キャップでは、前記キャップ本体は、前記タンパーエビデントバンドの縁部に係合する凹部を備えたフックを有し、該タンパーエビデントバンド縁部と該フックの凹部が係合することによりボトルの開口部から離隔して保持されるように構成されていることとした。
上記ボトル保持機能付キャップでは、上記構成とすることにより、キャップ本体が飲用の妨げとならない安定した姿勢で保持され且つボトルに安定した状態で付随されるようになる。
【発明の効果】
【０００９】
本発明のボトル保持機能付キャップによれば、キャップ本体はタンパーエビデントバンドに係合する係合手段を有し、また可変形連結片のキャップ本体との連結部と同タンパーエビデントバンドとの連結部とはキャップ本体の周方向に沿って離隔して配設されている。これにより、キャップ本体がボトル口部から開栓される際に、キャップ本体はタンパーエビデントバンドに連結した状態で、キャップ本体が自由に移動することが出来る行程を好適に確保することが可能となり、その結果、キャップ本体が可変形連結片を介して折り返されるとキャップ本体は係合手段によってタンパーエビデントバンドに係合するようになる。これにより、キャップ本体が飲用の妨げとならない安定した姿勢で保持され且つボトルに安定した状態で付随されることになる。また、可変形連結片は係合手段を挟んで少なくとも２個配設されているため、キャップ本体のボトル口部に対するネジ係合が緩むと共に可変形連結片が立ち上がり始め、キャップ本体がボトルの開口部から外れ易くなる。また、少なくとも２個の可変形連結片に挟まれて配設されていることから、キャップ本体が可変形連結片を介して安定して折り返されて係合手段がタンパーエビデントバンドに好適に係合するようになる。
また、可変形連結片が中間近傍において薄肉部を有する場合は、キャップ本体が容易にボトルの開口部の外側に倒れやすくなり、その結果キャップ本体とタンパーエビデントバンドがより係合し易くなる。
更に、キャップ本体は、タンパーエビデントバンドの縁部に係合する凹部を備えたフックを有し、タンパーエビデントバンドの縁部とフックの凹部が係合することによりボトルの開口部の外側に傾斜して安定に保持されるようになる。これにより、キャップ本体が飲用の妨げとならない安定した姿勢で保持され且つボトルに安定した状態で付随されるようになる。
【発明を実施するための最良の形態】
【００１０】
図１の（ａ）は、本発明のボトル保持機能付キャップ１００を示す斜視図である。また、同（ｂ）は同正面図である。
このボトル保持機能付キャップ１００は、ボトルの開口部を閉又は開栓するキャップ本体１０と、未開封時において後述のブリッジ及びバンドを介してタンパーエビデント性を示すと共にキャップ本体１０に連結してキャップ本体１０をボトルに付随させるタンパーエビデントバンド２０と、破断してタンパーエビデント性を示す弱化部としてのブリッジ３０と、開栓後にキャップ本体１０がタンパーエビデントバンド２０に対し折り返されることを可能とする可変形連結片としてのバンド４０とを具備して構成されている。
【００１１】
図１の（ａ）に示すように、キャップ本体１０のスカート下部には、タンパーエビデントバンド２０と係合してキャップ本体１０がボトル開口部の外側に開いた状態を保持する係合手段としてのフック１１が配設されている。
【００１２】
タンパーエビデントバンド２０は、ボトルネック部の顎部と同ネックリング部との間に係留しながら未開封時にはブリッジ３０及びバンド４０と共にキャップ本体１０の開栓に対し抵抗となる。他方、開栓後は、キャップ本体１０にバンド４０を介して繋がりながらボトルネック部の顎部と同ネックリング部との間で軸方向および周方向に対し移動可能に係留して、キャップ本体１０をボトルに付随させる。
【００１３】
ブリッジ３０は薄肉の超短片から成り、未開封時においてキャップ本体１０とタンパーエビデントバンド２０とを連結し、不正開封されたか否かを判別する目印となる、いわゆるタンパーエビデント性（ＴＥ性）を示す。
【００１４】
バンド４０は、ブリッジ３０と同じくキャップ本体１０とタンパーエビデントバンド２０とを繋ぐ細長片ではあるが、初開栓後もキャップ本体１０とタンパーエビデントバンド２０とを繋ぎ、その結果、キャップ本体１０がボトルに付随するようになる。また、詳細については図２を参照しながら後述するが、バンド４０は、タンパーエビデントバンド２０の上端からキャップ本体１０の下端で連結されキャップ本体１０の周方向に沿ってフック１１を挟みながら開栓方向とは逆向きに上方に延びながら２個配設され、キャップ本体１０の開栓に応じて立ち上がり始め、キャップ本体１０とボトルネック部とのネジ締結が解除する時にバンド４０が最大に立ち上がるように構成されている。また、バンド４０の長さは、少なくともバンド４０が最大に立ち上がった時にキャップ本体１０とボトルネック部とのネジ締結が解除する程度の長さである。
【００１５】
バンド４０は、キャップ本体１０を後方へ折り返すヒンジ機構として機能する。また、バンド４０は中央近傍に薄肉部を有し、キャップ本体１０を容易に後方へ折り返すことが出来るように構成されている。
【００１６】
図２は、本発明のボトル保持機能付キャップ１００の動作を示す説明図である。図２の（ａ）は、ブリッジ３０が破断した状態を示し、同（ｂ）は、バンド４０が最大に立ち上がって、キャップ本体１０とボトルネック部とのネジ締結が解除される状態を示し、同（ｃ）は、キャップ本体１０がタンパーエビデントバンド２０に係合している状態を示している。
先ず、図２（ａ）に示すように、キャップ本体１０が開栓方向に回転すると、バンド４０は図示の如く倒れた姿勢から立ち上がるようになる。このとき、タンパーエビデントバンド２０のフラップがボトルネック部の顎部Ａに係止している。
【００１７】
続いて、同（ｂ）に示すように、なおもキャップ本体１０を開栓方向に回転させるとバンド４０は最大に立ち上がり、キャップ本体１０はボトルの軸方向に対し最大変位してボトルの開口部から容易に離脱して、後方に倒れ易くなる。また、バンド４０は、中央近傍に薄肉部を有しているため、キャップ本体１０を後方へ折り返すヒンジ機構として好適に機能する。
【００１８】
同（ｃ）に示すように、バンド４０は、キャップ本体１０をボトルの開口部の外側に折り返すヒンジ機構として機能し、キャップ本体１０は折り返されて、フック１１がタンパーエビデントバンド２０に係合することにより、キャップ本体１０は安定した姿勢でタンパーエビデントバンド２０に係合する。
【００１９】
図３は、キャップ本体１０がタンパーエビデントバンド２０に係合した状態を示す説明図である。
Ａ部詳細に示すように、キャップ本体１０のスカートの下部にはフック１１が設けられ、フック１１の凹部１１ａがタンパーエビデントバンド２０の縁部の周方向の一部又は全周に沿って形成された突起部２０ａに係合して、キャップ本体１０はボトルの開口部の外側に開いた状態で安定して保持されることになる。なお、突起部２０ａを周方向の一部に設ける場合は、バンド４０,４０の付根部（タンパーエビデントバンド２０との連結部）間にわたって形成されていることが望ましい。また、キャップ本体１０をボトルの開口部の側に倒すことにより、容易にフック１１の凹部１１ａとタンパーエビデントバンド２０の突起部２０ａとの係合を解除することが出来る。
【００２０】
上記ボトル保持機能付キャップ１００によれば、キャップ本体１０はタンパーエビデントバンド２０に係合するフック１１を有し、またキャップ本体１０とタンパーエビデントバンド２０を連結する弱化部が、開栓時に破断してタンパーエビデント性を示すブリッジ３０とキャップ本体１０がタンパーエビデントバンド２０に折り返されることを可能とするバンド４０とから成り、更にバンド４０は、キャップ本体１０の周方向に沿ってフック１１を挟むようにして開栓方向とは逆向きに上方に延びながら２個配設され、キャップ本体１０の開栓に応じてバンド４０が立ち上がるように構成されている。これにより、開栓時において、ブリッジ３０が破断してタンパーエビデントバンド２０が自由となり続いてバンド４０が立ち上がり、続いてキャップ本体１０とボトルネック部との締結が解除するまでバンド４０が立ち上がり、そしてキャップ本体１０がバンド４０によって折り返されてタンパーエビデントバンド２０に係合するようになる。また、バンド４０が中間近傍において薄肉部を有する場合は、キャップ本体１０が容易にボトルの開口部の外側に倒れやすくなり、その結果キャップ本体１０とタンパーエビデントバンド２０が好適に係合し易くなる。
更に、キャップ本体１０は、タンパーエビデントバンド２０の縁部の周方向に沿って形成された突起部２０ａに係合する凹部１１ａを備えたフック１１を有し、タンパーエビデントバンド２０の突起部２０ａとフック１１の凹部１１ａが係合することによりボトルの開口部の外側に傾斜して保持されるように構成されている。これにより、キャップ本体１０が飲用の妨げとならない安定した姿勢で保持され且つボトルに安定した状態で付随されるようになる。
【産業上の利用可能性】
【００２１】
本発明のボトル保持機能付キャップは、ペットボトル等のプラスチックボトルに好適に適用され得る。
【図面の簡単な説明】
【００２２】
【図１】本発明のボトル保持機能付キャップを示す説明図である。
【図２】本発明のボトル保持機能付キャップの動作を示す説明図である。
【図３】キャップ本体がタンパーエビデントバンドに係合した状態を示す説明図である。
【符号の説明】
【００２３】
１０        キャップ本体
１１        フック
２０        タンパーエビデントバンド
３０        ブリッジ
４０        バンド
１００      ボトル保持機能付キャップ
【図１】
2008056246.tif 000003
【図２】
2008056246.tif 000004
【図３】
2008056246.tif 000005